(57)【要約】【課題】本発明においては、既存防水シートの改修を行う際に、音や振動が発生を防止するとともに既存防水シートの目地部が切れたり動くことにより、新規の防水シートが切れたりシワが入る危険性を低減することを目的とする。【解決手段】下地の上に敷設固定された既存防水シートの目地部にわたって接着剤によって覆われ形成された接着層と、前記接着層により前記既存防水シートに敷設固定されているシート状の新規防水層とを備え、前記新規防水層が前記接着層と接着される緩衝シートと前記緩衝シートとあらかじめ積層一体化された新規防水シートとを有する改修防水構造。【選択図】図１
2020159122.tif 000002
【特許請求の範囲】
【請求項１】
下地の上に敷設固定された既存防水シートの目地部にわたって接着剤によって覆われ形成された接着層と、
前記接着層により前記既存防水シートに敷設固定されているシート状の新規防水層とを備え、
前記新規防水層が前記接着層と接着される緩衝シートと前記緩衝シートとあらかじめ積層一体化された新規防水シートとを有する改修防水構造。
【請求項２】
前記目地部を一の前記緩衝シートが覆うように敷設されている請求項１に記載の改修防水構造。
【請求項３】
前記新規防水層には前記緩衝シートが積層されていない前記新規防水シート部分である接合片を有する請求項１または請求項２に記載された改修防水構造。
【請求項４】
前記新規防水層は第１新規防水層と、前記第１新規防水層と隣り合う第２新規防水層とを有し
前記第１新規防水層と前記第２新規防水層との目地部を前記第２新規防水層の接合片が前記第１新規防水層の上に接合されている請求項３に記載の改修防水構造。
【請求項５】
前記新規防水層はさらに前記第１新規防水層と隣り合う第３新規防水層とを有し、
前記第１新規防水層の接合片を有する端縁部と略直交する端縁部に前記第３新規防水層が敷設され、前記第１新規防水層と前記第３新規防水層との目地部を覆うように目地部シートが接合されている請求項３または請求項４のいずれか１項の記載の改修防水構造。
【請求項６】
下地の上に敷設固定された複数の既存防水シートの目地部にわたって覆うように接着剤を塗布し接着層を形成する工程と、
前記接着層の上に前記新規防水層を敷設固定する工程とを備え、
前記新規防水層が前記接着層と接着される緩衝シートと前記緩衝シートとあらかじめ積層一体化された新規防水シートとを有する改修防水構造の施工方法。
【発明の詳細な説明】
【技術分野】
【０００１】
本発明は、屋上や屋根、ベランダ等の防水構造のうち、既存防水層の改修を行う改修防水構造およびその施工方法に関する。
【背景技術】
【０００２】
従来、ベランダ、バルコニー、陸屋根等における躯体の防水を行うために防水層として防水シートを用いた防水施工が行われている。これらの防水シートは経年により劣化し防水性が低下することが懸念され、適切な時期に既存防水シートの改修が行われている。
【０００３】
このような既存防水シートの改修を防水シートを用いて行う場合、機械的固定工法が多用されている。機械的固定工法を用いた改修工法は、既存防水シートの上から改修用の防水シートを敷設し、下地にビスで固定された固定用ディスクを用いて改修用の防水シートは下地に対し固定されている。
【０００４】
特許文献１には、下地に敷設した既設防水シートを改修する目的で上から敷設するのに用いられる改修用防水シートであって、ゴムからなる防水シート本体の少なくとも下面に熱可塑性樹脂フィルムを積層一体化したものであり、予め既設防水シート上に固定プレートをアンカー固定し、該固定プレートに改修用防水シートを熱融着することによって敷設固定することが開示されている。
【先行技術文献】
【特許文献】
【０００５】
【特許文献１】特開２００６−１２５１８２号公報
【発明の概要】
【発明が解決しようとする課題】
【０００６】
しかし、機械的固定工法により改修を行うと、固定用ディスクを固定するためにビスを下地に打ち込む必要があり、音や振動が発生することが問題となる。そこで、改修のための新規の防水シートを接着剤を用いて固定する接着工法を用いることができる。
改修を接着工法で行場合下地が動くことにより、隣り合う既存防水シート間の劣化した目地部が切れたり動き、目地部の上に敷設固定された新規の防水シートが切れたりシワが入ることが懸念される。
【０００７】
すなわち、本発明においては、既存防水シートの改修を行う際に、音や振動の発生を防止するとともに既存防水シートの目地部が切れたり動くことにより、新規の防水シートが切れたりシワが入る危険性を低減することを目的とする。
【課題を解決するための手段】
【０００８】
課題を解決するために用いた手段は、既存防水シートの上から接着剤により新規防水層を敷設固定し、既存防水シートの目地部にわたって接着剤を塗布することを要旨とする。
具体的には、下地の上に敷設固定された既存防水シートの目地部にわたって接着剤によって覆われ形成された接着層と、接着層により既存防水層に敷設固定されているシート状の新規防水層とを備え、新規防水層が接着層と接着される緩衝シートと緩衝シートとあらかじめ積層一体化された新規防水シートとを有する改修防水構造とする。また、目地部を一の緩衝シートが覆うように敷設されていても良いし、新規防水層には緩衝シートが積層されていない新規防水シート部分である接合片を有していることが好ましい。さらに接合片を有する場合、新規防水層は第１新規防水層と、第１新規防水層と隣り合う第２新規防水層とを有し第１新規防水層と第２新規防水層との目地部を第２新規防水層の接合片が第１新規防水層の上に接合されている改修防水構造とすることが好ましい。
また、新規防水層はさらに第１新規防水層と隣り合う第３新規防水層とを有し、第１新規防水層の接合片を有する端縁部と略直交する端縁部に第３新規防水層が敷設され、第１新規防水層と第３新規防水層との目地部を覆うように目地部シートが接合されている改修防水構造とすることが好ましい。
さらに施工方法として、下地の上に敷設固定された複数の既存防水シートの目地部にわたって覆うように接着剤を塗布し接着層を形成する工程と、接着層の上に新規防水層を敷設固定する工程とを備え、新規防水層が接着層と接着される緩衝シートと緩衝シートとあらかじめ積層一体化された新規防水シートとを有する改修防水構造の施工方法を用いることができる。
【発明の効果】
【０００９】
本発明によれば、新規防水層を接着剤で固定することで、改修時の音や振動の発生を防止できる。また既存防水シートの目地部にわたって接着剤を塗布し新規防水層を敷設固定することで、劣化した目地部を補修しつつ新規防水層が形成される。これにより既存防水層の目地部が切れたり動く危険性を低減することができ、さらに新規防水層が切れたりシワが入るのを低減できる改修防水構造およびその施工方法を提供することができる。
【図面の簡単な説明】
【００１０】
【図１】本発明の実施形態における改修防水構造の部分断面図である。
【図２】本発明に係る既存防水シートと接着層の配置の例を示す部分平面図である。
【図３】本発明に係る既存防水シートと新規防水層の配置の例を示す部分平面図である。
【図４】本発明に係る既存防水シートと新規防水層の配置の例を示す部分平面図である。
【図５】本発明に係る接着層における接着剤の塗布状態を示す部分平面図である。
【図６】接着剤の塗布状態を示す部分平面図である。
【図７】本発明に新規防水層の配置の例を示す部分平面図である。
【発明を実施するための形態】
【００１１】
以下、本発明の実施形態について図面を用いて説明する。
【００１２】
本発明について、図１を用いて説明する。下地Ｓの上には既存防水シートＰが敷設固定されており、既存防水シートＰの上に接着剤により接着層Ａが設けられている。ここで接着層Ａは既存防水シートの目地部Ｍにわたって連続的に塗布されて形成されている。そして、接着層Ａの上に新規防水層３が敷設され固定されている。新規防水層３は、緩衝シート１と新規防水シート２を有し、緩衝シート１と新規防水シート２とは施工前にあらかじめ積層一体化されている。緩衝シート１が接着層Ａと固定され、新規防水シート２が表面側に配置される。
ここで、目地部Ｍはおよそ既存防水シートＰ１と既存防水シートＰ２との重なり部分である。
【００１３】
ここで、既存防水シートＰや新規防水層３はシートである。そこで、シートの短い方を幅とし、幅に対し直交し幅よりも長く形成さる側を長手とする。また、幅の側を幅方向、長手の側を長手方向と記載する場合がある。
【００１４】
既存防水シートＰの目地部Ｍは図２に示すように既存防水シートＰの長手方向と平行な目地部Ｍ２と幅方向に設けられた目地部Ｍ１があり、これらの目地部Ｍ１、Ｍ２をそれぞれの目地部Ｍを連続的に覆うように接着剤が塗布され接着層Ａが設けられている。どちらか一方の目地部にわたって接着層を設けても良いが、両方の目地部Ｍ１、Ｍ２にわたって覆われた接着層Ａが形成されることが好ましく、これにより長手方向、幅方向の両方向において、新規防水層３の切れやシワの発生を低減することができるため好ましい。
【００１５】
接着層Ａを形成する接着剤を塗布する際に、既存防水シートＰに合わせて接着剤を塗布すると既存防水シートＰの目地部ごとに区分けされ、目地部にわたって塗布されず好ましくない。また、櫛目ゴテを用いて接着剤を塗布する場合、図６のように接着剤の櫛目Ｊを目地部Ｍと並行して設けるようにすると、接着剤が目地部Ｍを覆うように連続的に塗布されず好ましくない。
【００１６】
一方、図５のように櫛目ゴテを用いて接着剤を塗布する際に接着剤の櫛目を円弧状に形成すると、目地部Ｍにわたって覆うように櫛目状の接着剤が塗布されるため好ましい。また、ローラーを用いて接着剤を設ける場合も、目地部Ｍにわたって接着剤が塗布されるように、目地部をまたぐようにローラーを配置し塗布することが好ましい。
このように、目地部Ｍを覆うように連続的に接着層Ａが形成されるとは、目地部Ｍを完全に覆うように接着剤が塗布されることを要せず、接着剤の櫛目のようにすじ状の接着剤が目地部Ｍを横断するように目地部Ｍを覆っていればよい。
【００１７】
新規防水層３は、緩衝シート１と新規防水シート２が積層一体化されている。緩衝シート１は既存防水シートＰが下地の動きに伴って動く場合に、その動きを新規防水シート２に直接伝えないようにし、新規防水シート２が切れたり、シワが入ることを防止するものである。緩衝シート１と新規防水シート２が積層一体化されていることで緩衝シート１と新規防水シート２を接合する工程を削減することができる。
また、緩衝シートは接着層Ａを介して既存防水シートＰの目地部Ｍにも固定され、接着剤と緩衝シートで目地部Ｍ、特に劣化した目地部Ｍが補修される。
【００１８】
隣り合う新規防水層３は防水性を増すために隣り合う新規防水シート２を重ねあわせることが求められる。そのため、図１に示すように新規防水層３には接合片４を有することが好ましい。緩衝シート１が新規防水シート２よりも幅が短く設定され、新規防水層３に緩衝シート１が積層されておらず、新規防水シート２で形成された部分が接合片４となる。すなわち、接合片４は新規防水シート２で形成されている。
【００１９】
次に接合片４を用いた接合について図１を用いて説明する。なお、第１新規防水層、第２新規防水層、第３新規防水層は新規防水層であり、第１新規防水シートや第２新規防水シートは新規防水シートである。
第２新規防水層３２の接合片４２は第１新規防水シート２１の上に重ねて配置され、接合片４２と第１新規防水シート２１とは接合されている。したがって、第１新規防水層３１と第２新規防水層３２との目地部Ｎは第２新規防水層の第２新規防水シートの一部である接合片４２が重ねられている。
【００２０】
ここで、既存防水シートＰの目地部Ｍが切れたり動いた場合に、その目地部Ｍの上側に新規防水層３の目地部Ｎがあると、上側の目地部Ｎも切れたりすることが懸念される。したがって、図１に示すように既存防水シートＰの目地部Ｍと新規防水層３の目地部Ｎが重ならないようにすることで、目地部Ｎが切れるリスクをさらに低減することができるため好ましい。すなわち、既存防水シートＰの目地部Ｍを覆って新規防水層３を敷設固定することが好ましい。ここで、緩衝シート１が目地部Ｍを覆っていれば、新規防水層３が目地部Ｍを覆っていることとなる。
図３、図４は、既存防水シートＰと新規防水層３との配置を模式的示した部分平面図である。点線で囲まれた部分が１つの既存防水シートＰを示し、点線が目地部Ｍを示している。同様に実線で囲まれた部分が１つの新規防水層３を示し、実線が目地部Ｎを示している。
さらに図３に示すように既存防水シートＰの長手方向の目地部Ｍ２、横方向の目地部Ｍ１の両方の目地部をそれぞれ新規防水層３で覆うように敷設することが防水性をより高めるとの点からは好ましい。また、既存防水シートＰの配置と新規防水層３の配置の制限から、一方の目地部のみを覆うように新規防水層３を敷設固定しても良い。
【００２１】
また、図３のように既存防水シートＰの長手方向と新規防水層３の長手方向を略平行になるように新規防水層３を敷設しても良いし、図４のように既存防水シートＰの長手方向と略直交するように新規防水層３を配置しても良い。
【００２２】
ここで、既存防水シートＰの幅と新規防水層３の幅が略同一の場合、図３のように既存防水シートＰと新規防水層３を平行に配置すると既存防水シートＰの目地部Ｍと新規防水層の目地部Ｎが上下で重なりやすくなる。このような場合に、図４のように既存防水シートＰと新規防水層３とを略直交するように配置することで既存防水シートＰの目地部Ｍと新規防水層３の目地部Ｎが重ならず、少なくとも既存防水シートＰの幅方向の目地部Ｍ１を覆うように新規防水層３を配置できるため好ましい。
【００２３】
また、図７はと新規防水層３の配置を模式的に示した部分平面図であって、図７では６つの新規防水層３が配置されている。
既存防水シートＰの上に新規防水層３を複数敷設すると、新規防水層３の目地部は図７のように幅方向の目地部Ｎ１と長手方向のＮ２が形成される。ここで、新規防水層３は接合片４を有しており、その接合片４が新規防水層３の長手方向に設けられていると、隣り合う第１新規防水層３１と第２新規防水層３２との目地部Ｎ２は、第２新規防水層３２の接合片４２が第１新規防水層３１の第１新規防水シート２１の上に重なり接合固定されている。
【００２４】
一方、第１新規防水層３１と第３新規防水層３３が幅方向の端縁部で接している場合、すなわち隣り合う新規防水層３が接合片４のない部分で隣接している場合、幅方向の目地部Ｎ２も隣り合う新規防水層３と重ねあわせて接着剤等により接合することができる。
また、隣り合う第１新規防水層３１と第３新規防水層３３とを幅方向の端縁部を突き付けて配置し、突き付けて形成された目地部Ｎ１に新規防水シート２と同種の目地部シートＴを目地部Ｎ１を覆うように接合することが好ましい。このように、新規防水層３の目地部Ｎ１を新規防水シート２と同種の目地部シートＴで接合することで、目地部Ｎ１の接合強度と安定性が増しより防水性が高くなるため好ましい。
また、図７に示すように複数の幅方向の目地部Ｎ１を一の目地部シートＴで覆い接合することで施工性が簡略化され、また防水性が向上するためより好ましい。
【００２５】
さらに、本発明の実施形態において、改修は既存防水シートＰの全面おいて改修構造とすることが好ましい。部分的な改修ではなく、全面的な改修を行うことで防水性の向上が図られるだけでなく、本発明の実施形態は全面的な改修を行う場合に適している。また、全面的な改修であっても、パラペットやその他の構築物等によってはその部分の周囲は別の施工構造とする場合があってもよく、屋根等の下地においておよそ平面である部分を本発明の実施形態で改修することが好ましい。
【００２６】
このように、既存防水シートＰのほぼ全面を新規防水層３で改修施工すると既存防水シートＰと新規防水層３とで二重の防水層とすることができるため好ましい。この場合、既存防水シートＰを検査し防水性を確保する補修を行うことが好ましい。
【００２７】
下地Ｓは、鉄筋コンクリート、ＡＬＣ造、木造、鋼製、金属折版屋根等の従来の防水構造に使用されているものであれば、どのような材質、構造であってもよい。
【００２８】
新規防水層３は緩衝シート１と新規防水シート２とが積層一体化されている。新規防水シート２としては、ポリ塩化ビニル樹脂系、加硫ゴム系、非加硫ゴム系、熱可塑性エラストマー系、オレフィン系、エチレン酢酸ビニル樹脂系等、一般的な新規防水シートが使用できる。
新規防水シート２は熱可塑性樹脂層の単層でも良いが、寸法安定性、引張強度に優れるという点からガラスクロス、ガラス不織布、ポリエステルクロス、ポリエステル不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
また、既存防水シートＰも新規防水シート２と同様のもので構成されていればよい。
【００２９】
ここで、新規防水シート２はポリ塩化ビニル樹脂系が柔軟性や接合性に優れるため好ましい。既存新規防水シートＰとしてポリ塩化ビニル樹脂系防水シートまたはオレフィン系防水シートが用いられている場合、新規防水層３の新規防水シート２をポリ塩化ビニル樹脂系防水シートとすることが好ましい。
【００３０】
新規防水層３に用いられる緩衝シート１は、下地の動きを新規防水層３に伝わるのを低減し新規防水層３が切れたり、シワが入ることを防ぐようなものであればよい。したがって、一定の柔軟性を有したシート状のものがよく、発泡シート等が好適に用いられる。発泡シートしては、ポリエチレン等のポリオレフィン系、スチレン系、ポリウレタン系を用いることが出来る。また、緩衝シート１は既存防水シートＰと接着剤により接着され、さらに新規防水シート２とも積層されている。したがって、緩衝シート１の新規防水シート２と積層された他の面は接着剤を介して既存防水シートＰと接着される。この既存防水シートＰとの接着部は強固に接着され、緩衝シート１を構成する発泡シートが容易に材破しないように、不織布や織布、紙などの補強層が設けられていることが好ましい。
【００３１】
緩衝シート１が補強層を有している場合の不織布と織布などに用いられる繊維は、天然繊維として、綿、羊毛、麻、パルプ、絹、鉱物繊維、化学繊維としてレーヨン（再生繊維）、ナイロン、ポリエステル、ポリプロピレン、アクリル繊維、ビニロン、アラミド繊維が使用できる。
【００３２】
ここで、新規防水層３は緩衝シート１を介して接着層Ａと接合固定されているので、新規防水層３が風圧により剥離しにくくするためには、緩衝シート１における発泡シートと不織布等の補強層との剥離強度が補強層と既存防水シートＰとの剥離強度よりも大きいことが好ましい。また、緩衝シート１の発泡シートと新規防水シート２との剥離強度が不織布等の補強層と既存防水シートＰとの剥離強度よりも大きいことが好ましい。したがって、新規防水層３を既存防水シートＰの上に接着剤による接着層Ａを介して固定した際に、接着剤の凝集破壊となることが好ましく、または緩衝シート１の発泡シートが材料破壊することが好ましい。
【００３３】
接着層Ａを構成する接着剤としては、既存防水シートＰと新規防水層３の緩衝シート１とを充分に接合できるようなものを用いることができ、エポキシ系、ＮＢＲ（ニトリルゴム）系、ＳＢＲ（スチレン-ブタジエンゴム）系、ウレタン系、アクリル系等が挙げられる。
【００３４】
既存防水シートと新規防水層とに応じて接着剤を選択することが好ましい。既存防水シートＰにポリ塩化ビニル樹脂系防水シートが用いられる場合、接着剤はＮＢＲ系接着剤を用いることで接合強度が充分に得られ好ましい。また、既存防水シートＰにオレフィン系防水シートを用いられる場合、接着剤はＳＢＲ系接着剤を用いることで接合強度が充分に得られ好ましい。
【００３５】
この様な場合、ＮＢＲ系接着やＳＢＲ系接着剤は既存防水シートＰに塗布することができ、さらに新規防水層３にも接着剤を塗布しても良い。特に、既存防水シートＰにポリ塩化ビニル樹脂系防水シートを用いる場合、ＮＢＲ系接着剤は既存防水シートＰと新規防水層３の両面に塗布することでより強固に接合することができる。
【００３６】
既存防水シートＰがポリ塩化ビニル樹脂系防水シートまたはオレフィン系防水シートが用いられている場合、既存防水シートＰの下地への接合方法は、固定用ビスと固定用ディスクを用いる機械固定方法であって良いし、接着剤を用いる接着工法であっても良い。
既存新規防水シートＰとしてポリ塩化ビニル樹脂系防水シートを用い、機械的固定工法とする場合は、ポリ塩化ビニル樹脂系防水シートを下地Ｓの上に敷設しその上から固定用ディスクを配置し固定用ビスを打ち込みポリ塩化ビニル樹脂系防水シートを固定用ディスクで固定しても良いし、下地の上に固定用ディスクを配置し固定用ビスで下地に固定し、固定用ディスクの上からポリ塩化ビニル樹脂系防水シートを敷設し固定用ディスクの上面に設けられた接合剤によってポリ塩化ビニル樹脂系防水シートと固定用ディスクとを固定しても良い。
また、既存新規防水シートＰとしてポリ塩化ビニル樹脂系防水シートを用い、接着工法とする場合は、下地とポリ塩化ビニル樹脂系防水シートの両面にＮＢＲ系接着剤を塗布し、下地にポリ塩化ビニル樹脂系防水シートを敷設固定することができる。
既存防水シートＰとしてポリオレフィン系防水シートを用いて、接着工法とする場合は、下地にＳＢＲ系接着剤を塗布し、下地にポリオレフィン系防水シートを敷設固定することができる。
図１において既存防水シートＰは接着剤（図示なし）により下地Ｓに固定されている。
【００３７】
目地部シートＴは新規防水シート２と同種のものを用いることが出来る。新規防水層３の新規防水シート２をポリ塩化ビニル樹脂系防水シートとする場合は、接合用シートもポリ塩化ビニル樹脂系防水シートを用いることが好ましい。
【００３８】
ここで、隣り合う新規防水層３の新規防水シート２間の接合は、溶剤による溶着や熱による融着が好ましく、このような溶融着による接合は接着剤を介しての接着よりも接合強度の経時での安定性に優れるため好ましい。新規防水シート２をポリ塩化ビニル樹脂系防水シートとすると、新規防水層３の接合片４もポリ塩化ビニル樹脂系防水シートで構成される。そのため、接合片４と接合片４と重なり合う新規防水シート２とはポリ塩化ビニル樹脂系防水シートで構成されるため、接合片４と新規防水シート２とは溶融着により接合できる。また、目地部シートＴを新規防水シート２と同じポリ塩化ビニル樹脂系防水シートとすることで、新規防水シート２と目地部シートＴを溶融着により接合することができる。
溶剤による溶着で用いる溶剤は、新規防水シート２を構成する樹脂の良溶媒が好ましい。例えば新規防水シート２がポリ塩化ビニル樹脂系防水シートである場合、主成分としてＴＨＦを用いることが好ましい。
【００３９】
ここで、既存防水シートＰの下地Ｓへの強度が充分でない場合、既存防水シートＰの補修を行うことができる。既存防水シートＰが接着工法で接合されている場合は、その接合強度が充分でない部分を切開し、下地に接着剤を塗布し、切開した既存防水シートＰを再度接合するか、切開した部分に新たな補修用の新規防水シートを敷設固定しても良い。
また、機械的固定により既存防水シートＰが固定されている場合、充分に固定されていない部分に、固定用ディスク、固定用ディスクを用いて補修を行っても良い。
【００４０】
次に改修防水構造の施工方法を図１、図２を用いて説明する。既存防水シートＰが施工された上に、接着層である接着剤を塗布し接着層Ａを形成し、接着層Ａの上から新規防水層３を敷設し固定する。ここで、既存防水シートＰの目地部Ｍにわたって接着剤を塗布している。
【００４１】
より具体的には、下地Ｓの上に既存防水シートＰが敷設されており、既存防水シートＰの上に接着剤を塗布し接着層Ａが形成される。緩衝シート１と新規防水シート２とが積層一体化された新規防水層３を接着層Ａの上に敷設する。既存防水シートＰの目地部Ｍにわたって接着剤を塗布している。このとき、新規防水層３は接合片４を有しており、第１新規防水層３１の長手方向と平行に第２新規防水層を敷設固定し、第２新規防水層の接合片４２を第１新規防水層の第１新規防水シートの上に重ね、溶剤による溶着で接合した。また、接合片４の接合は熱による融着で行ってもよい。そして、第１新規防水層の幅方向の端縁部に隣接するように第３新規防水層を敷設固定する。第１新規防水層と第３新規防水層の目地部Ｎ１を覆うように帯状の目地部シートＴを溶融着する。ここで目地部テープＴは新規防水シート２と同種の防水シートで構成されている。
【実施例】
【００４２】
以下に、本発明の実施例について主に図１、図７により説明する。
「実施例１」
図１において、既存防水シートＰであるポリ塩化ビニル樹脂系防水シートの上に、ＮＢＲ系接着剤を塗布され。目地部Ｍに接着剤の櫛目が円弧状に形成され目地部Ｍを覆うように連続的に接着剤が塗布されている。これにより、目地部Ｍを接着剤の櫛目が横断し目地部Ｍは接着剤がすじ状に覆われた接着層Ａが形成されている。そして、新規防水層３（３１，３２）は新規防水シート２（２１，２２）に緩衝シート１が積層一体化されている。新規防水シート２（２１，２２）はポリ塩化ビニル樹脂系防水シートが用いられ、緩衝シート１はポリエチレン系発泡シートにポリエステル系不織布が積層されている。そして、既存防水シートＰの上に、新規防水層３（３１，３２）の裏面、すなわち緩衝シート１のポリエステル系不織布面を接して、新規防水層３（３１，３２）が敷設固定される。この時、緩衝シート１の補強層としてポリエステル系不織布面にもＮＢＲ系接着剤が塗布されている。
【００４３】
また、図７において、第１新規防水層３１とその長手方向の端縁部を隣接して第２新規防水層３２が敷設固定されている。第２新規防水層３２は長手方向に沿って接合片４２が設けられている。ここで、新規防水シート２（２１，２２）はポリ塩化ビニル樹脂系防水シートで構成されているので、この接合片４（４２）もポリ塩化ビニル樹脂系防水シートで構成されている。そして、接合片４２は第１新規防水層３１の第１新規防水シート２１の上に重ねた状態で、接合片４２と第１新規防水シート２１とが溶剤による溶着で接合されている。接合片４２と第１新規防水シート２１とは熱による融着により接合されていても良い。さらに、接合片４２と第１新規防水シート２１との端縁部にはシーラー（図示なし）が塗布されている。
【００４４】
さらに、図７において、第１新規防水層３１の幅方向の端縁部で隣接している第３新規防水層３３もＮＢＲ系接着剤を用いて敷設固定されている。また、第３新規防水層３３の固定は、図１に示した新規防水層３（３１，３２）と同様であり、目地部Ｍ１に接着剤の櫛目が円弧状に形成され目地部Ｍ１を覆うように連続的に接着剤が塗布されている。第１新規防水層３１と第３新規防水層３３との目地部Ｎ１は、突き付けて形成されている。また、新規防水層３の幅方向の端縁部には接合片は設けられていない。目地部Ｎ１を覆うように新規防水層の新規防水シート２よりも幅の狭い目地部シートＴを敷設し、新規防水シート３１、３３と目地部シートＴとの接合は溶剤による液溶着で行われている。新規防水シート３１、３３と目地部シートＴとの接合は熱による融着により接合されていても良い。さらに、新規防水シート３１、３３と目地部シートＴとの端縁部にはシーラー（図示なし）が塗布されている。目地部シートＴは新規防水シート２と同一の構成、組成である。
ここで、さらに複数の新規防水層を敷設する場合は実施例１で示した例を必要な回数繰り返せばよく、既存防水シートＰの平面的な部分の全面において同様の改修構造とすることができる。
【００４５】
「実施例２」
既存防水シートＰがオレフィン系防水シートで構成されている。実施例１において、接着剤をＮＢＲ系からＳＢＲ系に代え、接着剤の塗布を既存防水シートの上面だけの片面塗布に変更することで同様に改修防水構造とすることができる。
【００４６】
「実施例３」
実施例１の施工方法について示す。図１において、既存防水シートＰであるポリ塩化ビニル樹脂系防水シートの上に、ＮＢＲ系接着剤を櫛目ゴテを用いて塗布する。このとき、目地部Ｍに接着剤の櫛目が円弧状に形成されるようにして、目地部Ｍにわたって連続的に接着剤を塗布する。これにより、目地部Ｍを接着剤の櫛目が横断し目地部Ｍは接着剤がすじ状に覆われた接着層Ａが形成されている。ここで、新規防水層３は新規防水シート２に緩衝シート１が積層一体化されている。新規防水シート２はポリ塩化ビニル樹脂系防水シートが用いられ、緩衝シート１はポリエチレン系発泡シートにポリエステル系不織布が積層されている。
そして、新規防水層３の裏面、すなわち緩衝シート１のポリエステル不織布面にもＮＢＥＲ系接着剤を塗布し、既存防水シートＰ上の接着層Ａの上からポリエステル不織布面を接するようにして新規防水層３を敷設しＮＢＲ系接着剤により固定する。
【００４７】
また、図７において、第２新規防水層（３２）には長手方向に沿って接合片４が設けられている。ここで、新規防水シート２（２１、２２）はポリ塩化ビニル樹脂系防水シートで構成されているので、この接合片４もポリ塩化ビニル樹脂系防水シートで構成されている。第１新規防水層３１とその長手方向の端縁部に隣接して第２新規防水層３２が敷設固定されている。そして、第２新規防水層３２の接合片４２を第１新規防水層３１の第１新規防水シート２１の上に重ね、接合片４２と第１新規防水シート２１とは溶剤による溶着で接合する。接合片４２と第１新規防水シート２１とは熱による融着により接合しても良い。さらに、接合片４２と第１新規防水シート２１との端縁部にはシーラー（図示なし）を塗布する。
【００４８】
さらに、図７において、第１新規防水層３１の幅方向の端縁部に隣接して第３新規防水層３３をＮＢＲ系接着剤を用いて敷設固定する。また、第３新規防水層３３の固定は、図１に示した新規防水層３（３１，３２）と同様であり、目地部Ｍ２と同様に、目地部Ｍ１に接着剤の櫛目が円弧状に形成され目地部Ｍ１を覆うように連続的に接着剤を塗布する。ここで、新規防水層３の幅方向の端縁部には接合片は設けられていないので、第１新規防水層３１と第３新規防水層３３とは突き付けて敷設する。そして、第１新規防水層３１と第３新規防水層３３とで形成された目地部Ｎ１を覆うように新規防水層３の新規防水シート２よりも幅の狭い目地部シートＴを敷設する。新規防水シート３１、３３と目地部シートＴとの接合は溶剤による液溶着で行う。新規防水シート３１、３３と目地部シートＴとの接合は熱による融着により接合しても良い。さらに、新規防水シート３１、３３と目地部シートＴとの端縁部にはシーラー（図示なし）を塗布する。目地部シートＴは新規防水シート２と同一の構成、組成である。
ここで、さらに複数の新規防水層を敷設する場合は実施例３で示した例を必要な回数繰り返せばよく、既存防水シートＰの平面的な部分の全面において同様の改修構造の施工方法とすることができる。
【００４９】
「実施例４」
既存防水シートＰがオレフィン系防水シートで構成されている場合は、実施例３において、接着剤をＮＢＲ系からＳＢＲ系に代え、接着剤の塗布を既存防水シートの上面だけの片面塗布に変更することで同様に改修防水構造の施工方法とすることができる。
【産業上の利用可能性】
【００５０】
本発明によれば、経年劣化した既存の防水シートを新規防水シートで改修する際に改修時の音や振動の発生を防止した接着工法とすることができる。また、既存防水シートの目地部が切れたり動く危険性を低下させることで、新規の防水シートが切れたりシワが入るのを低減できる改修防水構造およびその施工方法に利用できる。
【符号の説明】
【００５１】
Ｓ  下地
Ｐ  既存防水シート
Ａ  接着層
１  緩衝シート
２  新規防水シート
３  新規防水層
４  接合片
Ｍ  既存防水シートの目地部
Ｎ  新規防水層の目地部
Ｔ  目地部シート
【図１】
2020159122.tif 000003
【図２】
2020159122.tif 000004
【図３】
2020159122.tif 000005
【図４】
2020159122.tif 000006
【図５】
2020159122.tif 000007
【図６】
2020159122.tif 000008
【図７】
2020159122.tif 000009